(57)【要約】      （修正有）【課題】撮像画像によるプライバシーの侵害を抑制する撮映装置を提供する。【解決手段】撮影装置１０１は、撮像対象に人の顔部分が含まれるか否かを判定する第１判定部２０７と、判定部により人の顔部分が含まれると判定されると、撮影指示の受け付けを拒否する第１受付部２０９とを有する。判定部により人の顔部分が含まれないと判定されると、受付部は、撮影指示を受け付け、判定部は、撮影指示により撮影された撮像画像に人の顔部分が含まれているか否かを判定する。撮影装置は、撮像画像に人の顔部分が含まれていると判定した場合に、撮像画像のうち人の顔部分を秘匿化する加工を行う加工部を有する。また、撮影装置は、加工された撮像画像を送信する送信部２１３を有する。【選択図】図２
2016143152.tif 000002
【特許請求の範囲】
【請求項１】
撮像対象に人の顔部分が含まれるか否かを判定する判定部と、
前記判定部により人の顔部分が含まれると判定されると、撮影指示の受け付けを拒否する受付部と
を有する撮影装置。
【請求項２】
前記判定部により人の顔部分が含まれないと判定されると、前記受付部は、前記撮影指示を受け付け、
前記判定部は、前記撮影指示により撮影された撮像画像に人の顔部分が含まれているか否かを判定し、
更に、
前記撮像画像に人の顔部分が含まれていると判定した場合に、前記撮像画像のうち前記人の顔部分を秘匿化する加工を行う加工部と、
加工された撮像画像を送信する送信部と
を有する請求項１記載の撮影装置。
【請求項３】
更に、
前記撮影された撮像画像又は前記加工された撮像画像を表示する表示部を有し、
前記受付部は、表示された前記撮像画像を送信するか否かの指示を受け付け、
送信する指示を受け付けた場合に、前記送信部は、表示された前記撮像画像を送信する
請求項２記載の撮影装置。
【請求項４】
前記判定部は、前記撮像対象に文字又は数字が含まれるか否かを判定し、
前記受付部は、前記撮像対象に文字又は数字が含まれると判定した場合に、前記撮影指示の受け付けを拒否する
請求項１乃至３のいずれか１つ記載の撮影装置。
【請求項５】
撮影装置から撮像画像を受信する受信部と、
前記撮像画像に人の顔部分が含まれているか否かを判定する判定部と、
前記撮像画像に人の顔部分が含まれていないと判定した場合に、前記撮像画像を格納部に格納する格納処理部と
を有する情報処理装置。
【請求項６】
撮影装置から撮像画像を受信する受信部と、
前記撮像画像のうち、人の顔部分を秘匿化する加工を行う加工部と、
加工された撮像画像を格納部に格納する格納処理部と
を有する情報処理装置。
【請求項７】
前記受信部は、ユーザ端末から、人物に関する特徴データを受信し、
更に、
前記格納部に格納されている前記撮像画像のうち、前記特徴データに合致する者が写り込んでいる撮像画像を検索する検索部と、
検索された前記撮像画像を、前記ユーザ端末に送信する送信部と
を有する請求項５又は６記載の情報処理装置。
【請求項８】
前記受信部は、受信する前記撮像画像とともに、前記撮像画像の撮影日時及び撮影場所を示すデータを受信し、
前記格納処理部は、前記撮像画像を前記データに対応付けて前記格納部に格納し、
前記検索部は、前記撮影日時及び／又は前記撮影場所に関する条件に基づいて、検索対象となる撮像画像を絞り込む
請求項７記載の情報処理装置。
【請求項９】
前記送信部は、検索された前記撮像画像の前記撮影場所を指すマークを配した地図を、前記ユーザ端末に送信する
請求項８記載の情報処理装置。
【請求項１０】
前記受信部は、前記ユーザが選択した前記マークを特定する識別子を受信し、
前記送信部は、前記識別子によって特定される前記マークが指した前記撮影場所に対応する前記撮像画像を、前記ユーザ端末に送信する
請求項９記載の情報処理装置。
【請求項１１】
捜索対象者の特徴データに含まれる撮像画像に人の顔部分が含まれているか否かを判定する判定部と、
前記撮像画像に人の顔部分が含まれていると判定した場合に、前記撮像画像を除く前記特徴データを、捜索支援装置に送信し、前記撮像画像に人の顔部分が含まれていないと判定した場合に、前記撮像画像を含む前記特徴データを、前記捜索支援装置に送信する送信部と
を有する端末装置。
【請求項１２】
撮影装置と、捜索支援装置と、ユーザ端末とを含む捜索支援システムであって、
前記撮影装置は、
撮像対象に人の顔部分が含まれるか否かを判定する第１判定部と、
前記第１判定部により前記撮像対象に人の顔部分が含まれないと判定されると、前記撮像対象を撮影する撮影部と、
前記撮影部で撮影された撮像画像を前記捜索支援装置に送信する第１送信部と
を有し、
前記捜索支援装置は、
前記撮影装置から受信した前記撮像画像を、格納部に格納する格納処理部
を有し、
前記ユーザ端末は、
捜索対象者の特徴データに含まれる撮像画像に人の顔部分が含まれているか否かを判定する第２判定部と、
前記特徴データに含まれる前記撮像画像に人の顔部分が含まれていると判定した場合に、前記撮像画像を除く前記特徴データを、前記捜索支援装置に送信し、前記特徴データに含まれる前記撮像画像に人の顔部分が含まれていないと判定した場合に、前記撮像画像を含む前記特徴データを、前記捜索支援装置に送信する第２送信部と
を有し、
前記捜索支援装置は、更に、
受信した前記特徴データに基づいて、前記格納部に格納されている前記撮像画像を検索する検索部と、
検索された撮像画像を、前記ユーザ端末に送信する第３送信部と
を有する捜索支援システム。
【請求項１３】
撮像対象に人の顔部分が含まれるか否かを判定し、
前記撮像対象に人の顔部分が含まれると判定されると、撮影指示の受け付けを拒否する
処理を含み、プロセッサによって実行される撮影制御方法。
【請求項１４】
撮像対象に人の顔部分が含まれるか否かを判定し、
前記撮像対象に人の顔部分が含まれると判定されると、撮影指示の受け付けを拒否する
処理をプロセッサに実行させる撮影制御プログラム。
【請求項１５】
撮影装置から撮像画像を受信し、
前記撮像画像に人の顔部分が含まれているか否かを判定し、
前記撮像画像に人の顔部分が含まれていないと判定した場合に、前記撮像画像を格納部に格納する
処理を含み、コンピュータによって実行される情報処理方法。
【請求項１６】
撮影装置から撮像画像を受信し、
前記撮像画像に人の顔部分が含まれているか否かを判定し、
前記撮像画像に人の顔部分が含まれていないと判定した場合に、前記撮像画像を格納部に格納する
処理をコンピュータに実行させるプログラム。
【請求項１７】
撮影装置から撮像画像を受信し、
前記撮像画像のうち、人の顔部分を秘匿化する加工を行い、
加工された撮像画像を格納部に格納する
処理を含み、コンピュータによって実行される情報処理方法。
【請求項１８】
撮影装置から撮像画像を受信し、
前記撮像画像のうち、人の顔部分を秘匿化する加工を行い、
加工された撮像画像を格納部に格納する
処理をコンピュータに実行させるプログラム。
【請求項１９】
捜索対象者の特徴データに含まれる撮像画像に人の顔部分が含まれているか否かを判定し、
前記撮像画像に人の顔部分が含まれていると判定した場合に、前記撮像画像を除く前記特徴データを、捜索支援装置に送信し、
前記撮像画像に人の顔部分が含まれていないと判定した場合に、前記撮像画像を含む前記特徴データを、前記捜索支援装置に送信する
処理を含み、コンピュータによって実行される情報処理方法。
【請求項２０】
捜索対象者の特徴データに含まれる撮像画像に人の顔部分が含まれているか否かを判定し、
前記撮像画像に人の顔部分が含まれていると判定した場合に、前記撮像画像を除く前記特徴データを、捜索支援装置に送信し、
前記撮像画像に人の顔部分が含まれていないと判定した場合に、前記撮像画像を含む前記特徴データを、前記捜索支援装置に送信する
処理をコンピュータに実行させるプログラム。
【発明の詳細な説明】
【技術分野】
【０００１】
本発明は、撮像画像を撮影、送信又は管理する技術に関する。
【背景技術】
【０００２】
例えば外出した者が帰宅しない場合、その家族や日頃世話をしている関係者などの当事者は、大変に心配する。特に、行方不明者が自力で戻ることが困難な場合（例えば子供や認知レベルが低い人の場合）には、公開による捜索が行われることもある。
【０００３】
このように、一般市民からの情報提供を活用することは、安心な街作りをすすめる上で重要な要素となる。特に写真画像は、情報の共有に役立つ。
【０００４】
例えば、ある特許文献には、捜索対象者の顔画像を含む探索依頼データをカメラ付き無線端末に送り、発見者から連絡を受ける探索システムが開示されている。
【０００５】
但し、共有される情報の取り扱いについては、プライバシー保護の観点から注意が求められる。
【先行技術文献】
【特許文献】
【０００６】
【特許文献１】特開２００４−６２６１６号公報
【特許文献２】特開２０１３−１９１０５９号公報
【特許文献３】特開２０１３−１８６５４６号公報
【発明の概要】
【発明が解決しようとする課題】
【０００７】
本発明の目的は、撮像画像によるプライバシーの侵害を抑制することである。
【課題を解決するための手段】
【０００８】
一つの態様では、撮影装置は、撮像対象に人の顔部分が含まれるか否かを判定する判定部と、判定部により人の顔部分が含まれると判定されると、撮影指示の受け付けを拒否する受付部とを有する。
【０００９】
一つの態様では、情報処理装置は、撮影装置から撮像画像を受信する受信部と、撮像画像に人の顔部分が含まれているか否かを判定する判定部と、撮像画像に人の顔部分が含まれていないと判定した場合に、撮像画像を格納部に格納する格納処理部とを有する。
【００１０】
一つの態様では、情報処理装置は、撮影装置から撮像画像を受信する受信部と、撮像画像のうち、人の顔部分を秘匿化する加工を行う加工部と、加工された撮像画像を格納部に格納する格納処理部とを有する。
【００１１】
一つの態様では、端末装置は、捜索対象者の特徴データに含まれる撮像画像に人の顔部分が含まれているか否かを判定する判定部と、撮像画像に人の顔部分が含まれていると判定した場合に、撮像画像を除く特徴データを、捜索支援装置に送信し、撮像画像に人の顔部分が含まれていないと判定した場合に、撮像画像を含む特徴データを、捜索支援装置に送信する送信部とを有する。
【００１２】
一つの態様では、捜索支援システムは、撮影装置と、捜索支援装置と、ユーザ端末とを含む。上記撮影装置は、（Ａ）撮像対象に人の顔部分が含まれるか否かを判定する第１判定部と、（Ｂ）上記第１判定部により撮像対象に人の顔部分が含まれないと判定されると、撮像対象を撮影する撮影部と、（Ｃ）上記撮影部で撮影された撮像画像を上記捜索支援装置に送信する第１送信部とを有する。上記捜索支援装置は、（Ｄ）上記撮影装置から受信した撮像画像を、格納部に格納する格納処理部を有する。上記ユーザ端末は、（Ｅ）捜索対象者の特徴データに含まれる撮像画像に人の顔部分が含まれているか否かを判定する第２判定部と、（Ｆ）特徴データに含まれる撮像画像に人の顔部分が含まれていると判定した場合に、撮像画像を除く特徴データを、上記捜索支援装置に送信し、特徴データに含まれる撮像画像に人の顔部分が含まれていないと判定した場合に、撮像画像を含む特徴データを、上記捜索支援装置に送信する第２送信部とを有する。そして、上記捜索支援装置は、更に、（Ｇ）受信した特徴データに基づいて、上記格納部に格納されている撮像画像を検索する検索部と、（Ｈ）検索された撮像画像を、ユーザ端末に送信する第３送信部とを有する。
【発明の効果】
【００１３】
一側面として、撮像画像によるプライバシーの侵害を抑制できるという効果を有する。
【図面の簡単な説明】
【００１４】
【図１】図１は、捜索支援システムのネットワーク構成例を示す図である。
【図２】図２は、撮影装置のモジュール構成例を示す図である。
【図３】図３は、撮影装置のメイン処理フローの例を示す図である。
【図４】図４は、捜索支援サーバのモジュール構成例を示す図である。
【図５】図５は、捜索支援サーバの登録処理フローの例を示す図である。
【図６】図６は、ユーザ端末のモジュール構成例を示す図である。
【図７】図７は、ユーザ端末のメイン処理フローの例を示す図である。
【図８】図８は、ユーザ端末のメイン処理フローの例を示す図である。
【図９】図９は、捜索支援サーバの開示処理フローの例を示す図である。
【図１０】図１０は、実施の形態２に係る撮影装置のモジュール構成例を示す図である。
【図１１】図１１は、実施の形態２に係る撮影装置のメイン処理フローの例を示す図である。
【図１２】図１２は、実施の形態２に係る撮影装置のメイン処理フローの例を示す図である。
【図１３】図１３は、実施の形態３に係る撮影装置のメイン処理フローの例を示す図である。
【図１４】図１４は、実施の形態４に係る捜索支援サーバのモジュール構成例を示す図である。
【図１５】図１５は、実施の形態４に係る捜索支援サーバの登録処理フローの例を示す図である。
【図１６】図１６は、携帯電話端末のハードウエア構成例を示す図である。
【図１７】図１７は、コンピュータの機能ブロック図である。
【発明を実施するための形態】
【００１５】
［実施の形態１］
本実施の形態に係る捜索支援システムは、例えば行方不明者（捜索対象者ということもある。）に対する公開捜索を行う前の段階で、その家族や日頃世話をしている関係者などの当事者が行方不明者を発見しやすくするための情報を提供する。この例では、迷子になった子供や徘徊している老人のように、捜索対象者がおかれた状況を、周りの一般市民が外観的に推察しやすい場合を想定する。
【００１６】
図１に、捜索支援システムのネットワーク構成例を示す。撮影装置１０１は、情報提供に協力する者（協力者あるいは撮影者ということもある。）が使用する撮影装置である。協力者が、迷子や帰宅が困難な徘徊者と思われる人物を見つけたときに、撮影装置１０１によってその人物の写真を撮影すると、撮影された写真画像が捜索支援サーバ１０３へ送信される。このとき、撮影装置１０１は、写真画像に人の顔、文字又は数字が写り込まないようにする。
【００１７】
捜索支援サーバ１０３は、協力者によって提供された写真画像を管理し、行方不明者を捜しているユーザ（捜索者ということもある。）に対して写真画像を開示する。捜索支援サーバ１０３は、特定のユーザ以外に対しては、写真画像を開示しないようにする。
【００１８】
ユーザ端末１０５は、行方不明者を捜しているユーザが使用する端末である。ユーザ端末１０５は、ＰＣ（Personal Computer）であってもよいし、携帯電話端末（例えば、スマートフォン）であってもよい。ユーザは、ユーザ端末１０５を用いて捜索支援サーバ１０３が開示した写真画像を閲覧し、行方不明者の捜索に役立てる。
【００１９】
捜索支援サーバ１０３は、インターネットに接続されている。更に、撮影装置１０１及びユーザ端末１０５は、インターネットに接続する機能を有している。撮影装置１０１及びユーザ端末１０５は、移動体通信網を介して、インターネットに接続するようにしてもよい。
【００２０】
以下、撮影装置１０１について詳述する。撮影装置１０１は、撮像に用いるレンズとセンサを有する。撮影装置１０１は、画像処理に用いる演算装置及びメモリを有する。撮影装置１０１は、更にディスプレイ、撮影者から指示を受け付けるための入力装置（例えば、ボタンやタッチパッド）、日付及び時間を計測する時計部及び位置を計測する位置計測デバイス（例えば、ＧＰＳ（Global Positioning System）装置）を有する。
【００２１】
この例では、携帯型の撮影装置１０１を前提として説明するが、固定型の撮影装置１０１（例えば、監視カメラ装置）を用いるようにしてもよい。固定型の撮影装置１０１の場合は、撮影場所が一定なので、位置計測デバイスを設けなくてもよい。例えば、固定型の撮影装置１０１は、予め固定型の撮影装置１０１の記憶部に記憶されている設置場所のデータを用いるようにしてもよい。
【００２２】
撮影装置１０１は、更に、以下に示すモジュールを有する。図２に、撮影装置１０１のモジュール構成例を示す。図示するように、撮影装置１０１は、撮影部２０１、第１フレームバッファ２０３、第２フレームバッファ２０５、第１判定部２０７、第１受付部２０９、第１表示部２１１及び第１送信部２１３を有する。
【００２３】
撮影部２０１は、撮影部２０１が捉えている画像を撮影前に撮影者に見せるための画像を生成する。この画像は、一般的に記録されない。以下では、この画像を、スルー画像という。
【００２４】
更に、撮影部２０１は、シャッター操作による撮影指示を受け付けた場合に、写真画像を生成する。写真画像は、記録される画像であって、一般的にスルー画像よりも高い品質である。以下では、記録用の写真画像を単に写真画像という。更に、記録用の写真画像を生成することを、写真画像を撮影するという。
【００２５】
第１フレームバッファ２０３は、生成されたスルー画像を格納する。第２フレームバッファ２０５は、撮影された写真画像を格納する。この例では、第１フレームバッファ２０３及び第２フレームバッファ２０５は、揮発性のメモリに設けられる。このようにすれば、少なくとも撮影装置１０１の電源が切られる時点で、スルー画像及び写真画像は消滅する。
【００２６】
第１判定部２０７は、スルー画像又は写真画像に対して顔認識処理及び字認識処理を行う。そして、第１判定部２０７は、スルー画像又は写真画像に人の顔、文字又は数字が写り込んでいるか否かを判定する。第１判定部２０７は、字認識処理を省略し、スルー画像又は写真画像に人の顔が写り込んでいるか否かを判定するようにしてもよい。
【００２７】
第１受付部２０９は、ユーザ操作による指示（例えばシャッター操作による撮影指示）を受け付ける。第１表示部２１１は、スルー画像、写真画像及び撮影者の操作を誘導するための画面などを表示する。第１送信部２１３は、写真画像、撮影日時及び撮影場所を捜索支援サーバ１０３に送信する。
【００２８】
上述した撮影部２０１、第１判定部２０７、第１受付部２０９、第１表示部２１１及び第１送信部２１３は、ハードウエア資源（例えば、図１６）と、以下で述べる処理をプロセッサに実行させるプログラムとを用いて実現される。
【００２９】
上述した第１フレームバッファ２０３及び第２フレームバッファ２０５は、ハードウエア資源（例えば、図１６）を用いて実現される。
【００３０】
図３に、撮影装置１０１のメイン処理フローの例を示す。撮影部２０１は、スルー画像の生成処理を開始する（Ｓ３０１）。スルー画像は、所定間隔（例えば０．１秒）で繰り返し生成される。生成されたスルー画像は、第１フレームバッファ２０３に格納される。第１フレームバッファ２０３では、新しいスルー画像が上書きされる。つまり、第１フレームバッファ２０３に格納されるスルー画像は、所定間隔で更新される。そして、第１フレームバッファ２０３に格納されたスルー画像は、第１表示部２１１によって随時表示される。このようにして表示される画面を、プレビュー画面という。撮影者は、プレビュー画面を見ながら、シャッター操作を行うタイミングを計る。
【００３１】
スルー画像の生成処理を開始すると、第１判定部２０７は、スルー画像に対する顔認識処理を実行する（Ｓ３０３）。つまり、第１判定部２０７は、スルー画像の中から人の顔に該当する部分を検出する。尚、顔認識処理は従来技術によるので、この処理についての詳細な説明は省略する。
【００３２】
さらに、第１判定部２０７は、スルー画像に対する字認識処理を実行する（Ｓ３０５）。つまり、第１判定部２０７は、スルー画像の中から文字に該当する部分及び数字に該当する部分を検出する。尚、字認識処理は従来技術によるので、この処理についての詳細な説明は省略する。
【００３３】
第１受付部２０９は、シャッター操作を受け付けたか否かを判定する（Ｓ３０７）。シャッター操作は、タッチパッドへのタッチであってもよいし、ボタンの押下であってもよい。
【００３４】
シャッター操作を受け付けていないと判定した場合には、Ｓ３０３に戻って、上述した処理を繰り返す。
【００３５】
シャッター操作を受け付けたと判定した場合には、第１判定部２０７は、Ｓ３０３における顔認識処理の結果と、Ｓ３０５における字認識処理の結果とに基づいて、スルー画像に人の顔、文字又は数字が写り込んでいるか否かを判定する（Ｓ３０９）。
【００３６】
スルー画像に人の顔、文字又は数字が写り込んでいると判定した場合には、第１受付部２０９は、シャッター操作による撮影指示の受け付けを拒否する。そして、第１表示部２１１は、撮影拒否の旨（例えば、警告文「撮影できません。」）を表示装置に表示する（Ｓ３１１）。また、電子的なシャッター音も出力されない。そして、Ｓ３０３に戻って、上述した処理を繰り返す。
【００３７】
スルー画像に人の顔、文字又は数字が写り込んでいないと判定した場合には、第１受付部２０９は、シャッター操作による撮影指示を受け付ける。撮影部２０１は、写真画像を撮影する（Ｓ３１３）。撮影された写真画像は、第２フレームバッファ２０５に格納される。
【００３８】
尚、Ｓ３０５における字認識処理を省略するようにしてもよい。Ｓ３０５における字認識処理を省略する場合には、Ｓ３０９において、第１判定部２０７は、人の顔が写り込んでいるか否かを判定する。
【００３９】
第１送信部２１３は、写真画像、撮影日時及び撮影場所を捜索支援サーバ１０３に送信する（Ｓ３１５）。このとき、第１送信部２１３は、時計部から現在日時を取得し、現在日時を撮影日時として送信する。更に、第１送信部２１３は、位置計測デバイスから現在位置を取得し、現在位置を撮影場所として送信する。固定型の撮影装置１０１の場合には、第１送信部２１３は、所定の設置場所を撮影場所として送信する。
【００４０】
第１表示部２１１は、撮影処理を終了させるか否かを撮影者に問う表示を行い、第１受付部２０９は、終了指示を受け付けたか否かを判定する（Ｓ３１７）。例えば、撮影の終了指示あるいは撮影の継続指示を、ユーザに選択させるようにする。
【００４１】
終了指示を受け付けなかったと判定した場合、つまり継続指示を受け付けた場合には、Ｓ３０３に戻って、上述した処理を繰り返す。
【００４２】
終了指示を受け付けたと判定した場合には、メイン処理を終了する。以上で、撮影装置１０１についての説明を終える。
【００４３】
次に、捜索支援サーバ１０３について説明する。捜索支援サーバ１０３は、撮影装置１０１から受信した写真画像を登録する処理と、ユーザ端末１０５に対して写真画像を開示する処理とを行う。以下、捜索支援サーバ１０３のモジュール構成例と、撮影装置１０１から受信した写真画像を登録する処理とを説明した後に、ユーザ端末１０５についての説明を挟んで、ユーザ端末１０５に対して写真画像を開示する処理について説明する。
【００４４】
図４に、捜索支援サーバ１０３のモジュール構成例を示す。捜索支援サーバ１０３は、第１受信部４０１、第２判定部４０３、格納処理部４０５、画像格納部４０７、認証部４０９、検索部４１１及び第２送信部４１３を有する。
【００４５】
第１受信部４０１は、撮影装置１０１から写真画像、撮影日時及び撮影場所を受信する。第１受信部４０１は、ユーザ端末１０５から撮影日時及び撮影場所の条件、更に各種の指示も受信する。第２判定部４０３は、受信した写真画像に対して顔認識処理及び字認識処理を行い、受信した写真画像に人の顔、文字又は数字が写り込んでいるか否かを判定する。第２判定部４０３は、字認識処理を省略し、受信した写真画像に人の顔が写り込んでいるか否かを判定するようにしてもよい。尚、第２判定部４０３における顔認識処理の性能が、上述した第１判定部２０７における顔認識処理の性能と異なれば、第１判定部２０７で認識できなかった顔を認識することがある。同じく第２判定部４０３における字認識処理の性能が、上述した第１判定部２０７における字認識処理の性能と異なれば、第１判定部２０７で認識できなかった文字や数字を認識することがある。
【００４６】
格納処理部４０５は、受信した撮影日時及び撮影場所に対応付けて、受信した写真画像を画像格納部４０７に格納する。画像格納部４０７は、撮影日時及び撮影場所に対応付けて写真画像を記憶する。認証部４０９は、ユーザ認証を行う。検索部４１１は、写真画像を検索する。第２送信部４１３は、マークが配された地図及び写真画像をユーザ端末１０５に送信する。
【００４７】
上述した第１受信部４０１、第２判定部４０３、格納処理部４０５、認証部４０９、検索部４１１及び第２送信部４１３は、ハードウエア資源（例えば、図１７）と、以下で述べる処理をプロセッサに実行させるプログラムとを用いて実現される。
【００４８】
上述した画像格納部４０７は、ハードウエア資源（例えば、図１７）を用いて実現される。
【００４９】
次に、捜索支援サーバ１０３が、撮影装置１０１から受信した写真画像を登録する処理について説明する。図５に、捜索支援サーバ１０３の登録処理フローの例を示す。第１受信部４０１は、待機して、撮影装置１０１から写真画像、撮影日時及び撮影場所を受信する（Ｓ５０１）。
【００５０】
第２判定部４０３は、受信した写真画像に対して顔認識処理を実行する（Ｓ５０３）。つまり、第２判定部４０３は、受信した写真画像から人の顔に該当する部分を検出する。
【００５１】
更に、第２判定部４０３は、受信した写真画像に対して字認識処理を実行する（Ｓ５０５）。つまり、第２判定部４０３は、受信した写真画像の中から文字に該当する部分及び数字に該当する部分を検出する。
【００５２】
第２判定部４０３は、Ｓ５０３における顔認識処理の結果と、Ｓ５０５における字認識処理の結果とに基づいて、受信した写真画像に人の顔、文字又は数字が写り込んでいるか否かを判定する（Ｓ５０７）。
【００５３】
受信した写真画像に人の顔、文字又は数字が写り込んでいると判定した場合には、受信した写真画像は破棄される。この時点で、写真画像を消去してもよい。あるいは、揮発性のメモリに写真画像を残しておいてもよい。そして、Ｓ５０１に戻って、上述した処理を繰り返す。
【００５４】
一方、受信した写真画像に人の顔、文字又は数字が写り込んでいないと判定した場合には、格納処理部４０５は、撮影日時及び撮影場所に対応付けて写真画像を画像格納部４０７に格納する（Ｓ５０９）。このとき、格納処理部４０５は、Ｓ５０１において受信した写真画像の送信元である撮影装置１０１を特定するＩＤを、写真画像に対応付けて記憶するようにしてもよい。そして、Ｓ５０１に戻って、上述した処理を繰り返す。
【００５５】
尚、Ｓ５０５における字認識処理を省略するようにしてもよい。Ｓ５０５における字認識処理を省略する場合には、Ｓ５０７において、第２判定部４０３は、人の顔が写り込んでいるか否かを判定する。以上で、登録処理についての説明を終える。
【００５６】
ここで、ユーザ端末１０５の説明に移る。ユーザ端末１０５は、ユーザが捜索支援サーバ１０３に登録されている写真画像を閲覧する場合に用いられる。
【００５７】
図６に、ユーザ端末１０５のモジュール構成例を示す。ユーザ端末１０５は、第３送信部６０１、第２受付部６０３、第３判定部６０５、第２受信部６０７、第２表示部６０９及び特徴記憶部６１１を有する。
【００５８】
第３送信部６０１は、認証データ、特徴データ（捜索対象者の写真画像を含む場合もある。）、撮影日時及び撮影場所の条件、更に各種の指示を捜索支援サーバ１０３に送信する。第２受付部６０３は、ユーザの操作によって、認証データ、特徴データ、撮影日時及び撮影場所の条件及び各種の指示を受け付ける。第２受付部６０３は、特徴データに含める捜索対象者の写真画像を受け付ける場合もある。
【００５９】
第３判定部６０５は、特徴データに含まれる捜索対象者の写真画像に対して顔認識処理及び字認識処理を行い、捜索対象者の写真画像に人の顔、文字又は数字が写り込んでいるか否かを判定する。第３判定部６０５は、字認識処理を省略し、捜索対象者の写真画像に人の顔が写り込んでいるか否かを判定するようにしてもよい。
【００６０】
第２受信部６０７は、捜索支援サーバ１０３から、マークが配された地図及び写真画像を受信する。第２表示部６０９は、マークを配された地図、写真画像及びユーザの操作を誘導するための画面などを表示する。特徴記憶部６１１は、特徴データを記憶する。特徴記憶部６１１は、特徴データに含める捜索対象者の写真画像も記憶する。
【００６１】
上述した第３送信部６０１、第２受付部６０３、第３判定部６０５、第２受信部６０７及び第２表示部６０９は、ハードウエア資源（例えば、図１７）と、以下で述べる処理をプロセッサに実行させるプログラムとを用いて実現される。
【００６２】
上述した特徴記憶部６１１は、ハードウエア資源（例えば、図１７）を用いて実現される。
【００６３】
図７に、ユーザ端末１０５のメイン処理フローの例を示す。第３送信部６０１は、認証データを捜索支援サーバ１０３に送信する（Ｓ７０１）。認証データは、例えば第２受付部６０３によって受け付けられる。捜索支援サーバ１０３におけるユーザ認証が失敗すると、以降の処理は行われない。
【００６４】
捜索支援サーバ１０３におけるユーザ認証が成功すると、第２受付部６０３は、ユーザの操作によって特徴データを受け付ける（Ｓ７０３）。特徴データは、例えば服装や身長など捜索対象者の外見に関するデータを含む。また、特徴データは、捜索対象者の写真画像を含むようにしてもよい。この場合、第２受付部６０３は、捜索対象者の写真画像を受け付けるようにしてもよい。
【００６５】
尚、ユーザの操作を簡単にするために、予め特徴記憶部６１１に保持されている特徴データを用いるようにしてもよい。
【００６６】
特徴データに写真画像が含まれる場合には、第３判定部６０５は、特徴データに含まれる写真画像に対して顔認識処理を実行する（Ｓ７０５）。つまり、第３判定部６０５は、特徴データに含まれる写真画像から人の顔に該当する部分を検出する。
【００６７】
特徴データに写真画像が含まれる場合には、更に、第３判定部６０５は、特徴データに含まれる写真画像に対して字認識処理を実行する（Ｓ７０７）。つまり、第３判定部６０５は、特徴データに含まれる写真画像の中から文字に該当する部分及び数字に該当する部分を検出する。
【００６８】
第３判定部６０５は、Ｓ７０５における顔認識処理の結果と、Ｓ７０７における字認識処理の結果とに基づいて、特徴データに含まれる写真画像に人の顔、文字又は数字が写り込んでいるか否かを判定する（Ｓ７０９）。
【００６９】
特徴データに含まれる写真画像に人の顔、文字又は数字が写り込んでいないと判定した場合には、第３送信部６０１は、写真画像を含む特徴データを捜索支援サーバ１０３に送信する（Ｓ７１１）。
【００７０】
一方、特徴データに含まれる写真画像に人の顔、文字又は数字が写り込んでいると判定した場合には、第３送信部６０１は、写真画像を除く特徴データを捜索支援サーバ１０３に送信する（Ｓ７１３）。
【００７１】
尚、Ｓ７０７における字認識処理を省略するようにしてもよい。Ｓ７０７における字認識処理を省略する場合には、Ｓ７０９において、第３判定部６０５は、人の顔が写り込んでいるか否かを判定する。
【００７２】
次に、第２受付部６０３は、ユーザの操作によって、撮影日時及び撮影場所の条件を受け付ける（Ｓ７１５）。第３送信部６０１は、受け付けた撮影日時及び撮影場所の条件を捜索支援サーバ１０３に送信する（Ｓ７１７）。
【００７３】
この例で、捜索支援サーバ１０３は、検索結果を地図の形式で示す。そのため、第２受信部６０７は、捜索支援サーバ１０３から送られるマークが配された地図を受信する（Ｓ７１９）。そして、第２表示部６０９は、マークを配された地図を表示する（Ｓ７２１）。マークは、捜索支援サーバ１０３で検索した写真画像の撮影場所を指している。そして、ユーザが地図上のマークを選択すると、そのマークが指す位置で撮影された写真画像が表示されるようになっている。
【００７４】
端子Ａを介して、図８に示したＳ８０１に移る。第２受付部６０３は、ユーザの操作による指示を受け付ける（Ｓ８０１）。第２受付部６０３は、Ｓ８０１で受け付けた指示がマークの選択操作であるか否か、つまり写真画像の表示指示であるか否かを判定する（Ｓ８０３）。
【００７５】
Ｓ８０１で受け付けた指示が写真画像の表示指示であると判定した場合には、第３送信部６０１は、選択されたマークのＩＤを捜索支援サーバ１０３に送信する（Ｓ８０５）。
【００７６】
そして、第２受信部６０７は、捜索支援サーバ１０３から送られる写真画像を受信し（Ｓ８０７）、第２表示部６０９は、受信した写真画像を表示する（Ｓ８０９）。
【００７７】
第２受信部６０７が、写真画像とともに、撮影時間を受信した場合には、第２表示部６０９は、写真画像とともに、撮影時間を表示するようにしてもよい。第２受信部６０７が、写真画像とともに、撮影場所に相当する住所を受信した場合には、第２表示部６０９は、写真画像とともに、撮影場所に相当する住所を表示するようにしてもよい。その後、Ｓ８０１の処理に戻って、上述した処理を繰り返す。
【００７８】
一方、Ｓ８０３において、Ｓ８０１で受け付けた指示が写真画像の表示指示ではないと判定した場合には、第２受付部６０３は、Ｓ８０１で受け付けた指示が再検索の指示であるか否かを判定する（Ｓ８１１）。
【００７９】
Ｓ８０１で受け付けた指示が再検索の指示であると判定した場合には、第３送信部６０１は、再検索の指示を捜索支援サーバ１０３に送信する（Ｓ８１３）。そして、端子Ｂを介してＳ７１５の処理に戻って、上述した処理を繰り返す。
【００８０】
Ｓ８０１で受け付けた指示が再検索の指示ではないと判定した場合には、第２受付部６０３は、Ｓ８０１で受け付けた指示が終了の指示であるか否かを判定する（Ｓ８１５）。
【００８１】
Ｓ８０１で受け付けた指示が終了の指示であると判定した場合には、第３送信部６０１は、終了の指示を捜索支援サーバ１０３に送信する（Ｓ８１７）。そして、メイン処理を終える。
【００８２】
一方、Ｓ８０１で受け付けた指示が終了の指示ではないと判定した場合には、Ｓ８０１の処理に戻って、上述した処理を繰り返す。以上で、ユーザ端末１０５についての説明を終える。
【００８３】
捜索支援サーバ１０３の説明に戻る。ここから、上述したユーザ端末１０５のメイン処理に対応する処理、つまりユーザ端末１０５に対して写真画像を開示する処理について説明する。図９に、捜索支援サーバ１０３の開示処理フローの例を示す。開示処理は、捜索支援サーバ１０３がユーザ端末１０５から認証データを受信した場合に起動される。認証部４０９は、受信した認証データに基づいてユーザ認証を実行する（Ｓ９０１）。ユーザ認証に失敗した場合には、捜索支援サーバ１０３は以降の処理を行わない。
【００８４】
ユーザ認証に成功した場合には、第１受信部４０１は、ユーザ端末１０５から特徴データを受信する（Ｓ９０３）。更に、第１受信部４０１は、ユーザ端末１０５から撮影日時及び撮影場所の条件を受信する（Ｓ９０５）。検索部４１１は、受信した撮影日時及び撮影場所の条件によって、検索すべき写真画像を絞り込む（Ｓ９０７）。
【００８５】
撮影日時と撮影場所とのうち、一方を条件としてもよい。つまり、第１受信部４０１は、ユーザ端末１０５から撮影日時の条件を受信し、検索部４１１は、受信した撮影日時の条件によって、検索すべき写真画像を絞り込むようにしてもよい。また、第１受信部４０１は、ユーザ端末１０５から撮影場所の条件を受信し、検索部４１１は、受信した撮影場所の条件によって、検索すべき写真画像を絞り込むようにしてもよい。
【００８６】
検索部４１１は、写真画像に対応付けられている撮影日時及び撮影場所が、受信した撮影日時及び撮影場所の条件に合致する写真画像を対象として、画像検索処理を行う（Ｓ９０９）。具体的には、検索部４１１は、特徴データに従って、服装や身長などの外見の特徴に合致する写真画像を特定する。特徴データに捜索対象者の写真画像が含まれる場合には、検索部４１１は、捜索対象者の特徴と近似する特徴を備えた人物が写っている写真画像を特定するようにしてもよい。尚、画像検索処理は従来技術によるので、詳細な説明は省略する。
【００８７】
この例で、検索部４１１は、検索結果として、抽出した写真画像に対応する撮影場所にマークを配した地図を生成する。このとき、検索部４１１は、マークＩＤと写真画像とを対応付ける。尚、検索結果が、他の形式によって表されるようにしてもよい。検索部４１１は、マークとともに、地図上に撮影時間を示すようにしてもよい。更に、検索部４１１は、マークとともに、地図上に撮影場所に相当する住所を示すようにしてもよい。
【００８８】
第２送信部４１３は、マークが配された地図をユーザ端末１０５に送信する（Ｓ９１１）。そして、第１受信部４０１は、ユーザ端末１０５からの次の指示の受信を待つ。
【００８９】
第１受信部４０１は、マークＩＤを受信したか否かを判定する（Ｓ９１３）。マークＩＤを受信したと判定した場合には、第２送信部４１３は、マークＩＤに対応する写真画像をユーザ端末１０５へ送信する（Ｓ９１５）。第２送信部４１３は、写真画像とともに、撮影時間を送信するようにしてもよい。更に、第２送信部４１３は、写真画像とともに、撮影場所に相当する住所を送信するようにしてもよい。そして、Ｓ９１３に示した処理に戻る。
【００９０】
マークＩＤを受信していないと判定した場合には、第１受信部４０１は、再検索の指示を受信したか否かを判定する（Ｓ９１７）。再検索の指示を受信したと判定した場合には、Ｓ９０５に戻って、上述した処理を繰り返す。
【００９１】
一方、再検索の指示を受信していないと判定した場合には、第１受信部４０１は、終了の指示を受信したか否かを判定する（Ｓ９１９）。終了の指示を受信していないと判定した場合には、Ｓ９１３に戻って、上述した処理を繰り返す。
【００９２】
一方、終了の指示を受信したと判定した場合には、捜索支援サーバ１０３は、開示処理を終了する。
【００９３】
本実施の形態によれば、スルー画像に人の顔、文字又は数字が写り込んでいると判定した場合に、撮影指示の受け付けを拒否するので、プライバシーを侵害する恐れのある写真の撮影を防ぐことができる。
【００９４】
また、捜索支援サーバ１０３で受信した写真画像に人の顔が写り込んでいないことを確認するので、画像格納部４０７に、プライバシーを侵害する恐れがある写真を加えないようにできる。
【００９５】
また、捜索支援サーバ１０３が、ユーザ端末１０５から受信した特徴データに合致する写真画像を検索するので、捜索対象者が写り込んだ写真画像をユーザに提供できる。
【００９６】
また、捜索支援サーバ１０３が、撮影日時及び／又は撮影場所に関する条件に基づいて、検索対象となる写真画像を絞り込み、検索処理を速めることができる。
【００９７】
また、捜索支援サーバ１０３が、撮影場所を指すマークを付した地図をユーザ端末１０５へ送るので、ユーザは、写真画像が撮影された場所を把握しやすい。
【００９８】
また、捜索支援サーバ１０３が、マークが指す撮影場所に対応する写真画像をユーザ端末１０５へ送るようになっているので、ユーザは、撮影場所に基づいて、取得したい写真画像を選択できる。
【００９９】
また、ユーザ端末１０５が、特徴データに含まれる写真画像に人の顔が写り込んでいると判定した場合に、写真画像を除く特徴データを捜索支援サーバ１０３に送信するので、捜索対象者の顔に関して秘匿を図れる。
【０１００】
以上のように、捜索支援サーバ１０３において、プライバシーを侵害する恐れのある写真を蓄積しなくて済む。
【０１０１】
［実施の形態２］
上述した実施の形態では、撮影装置１０１において、スルー画像に人の顔、文字又は数字が写り込んでいる場合に撮影しない例について説明した。但し、例えば被写体となっている者が急に振り返った場合には、その者の顔が写真画像に写り込むことがある。本実施の形態では、写真画像に人の顔、文字又は数字が写り込んだ場合に、人の顔、文字又は数字に相当する部分に秘匿化処理を施す例について説明する。
【０１０２】
図１０に、実施の形態２に係る撮影装置１０１のモジュール構成例を示す。撮影装置１０１は、図２に示したモジュールに加えて、第１加工部１００１を有する。第１加工部１００１は、写真画像に含まれる人の顔、文字又は数字に相当する部分にモザイク処理を施す。但し、第１加工部１００１は、写真画像に含まれる文字又は数字に相当する部分へのモザイク処理を行わないようにしてもよい。
【０１０３】
上述した第１加工部１００１は、ハードウエア資源（例えば、図１６）と、以下で述べる処理をプロセッサに実行させるプログラムとを用いて実現される。
【０１０４】
図１１に、実施の形態２に係る撮影装置１０１のメイン処理フローの例を示す。Ｓ３０１乃至Ｓ３１３の処理は、図３の場合と同様である。Ｓ３１３の処理を終えると、端子Ｃを介して、図１２に示したＳ１２０１の処理に移る。
【０１０５】
第１判定部２０７は、図１１のＳ３１３において撮影された写真画像に対する顔認識処理を実行する（Ｓ１２０１）。つまり、第１判定部２０７は、図１１のＳ３１３において撮影された写真画像の中から人の顔に該当する部分を検出する。撮影された写真画像は、上述したように、第２フレームバッファ２０５に格納されている。
【０１０６】
更に、第１判定部２０７は、図１１のＳ３１３において撮影された写真画像に対する字認識処理を実行する（Ｓ１２０３）。つまり、第１判定部２０７は、図１１のＳ３１３において撮影された写真画像の中から文字に該当する部分及び数字に該当する部分を検出する。
【０１０７】
第１判定部２０７は、Ｓ１２０１における顔認識処理の結果と、Ｓ１２０３における字認識処理の結果とに基づいて、撮影された写真画像に人の顔、文字又は数字が写り込んでいるか否かを判定する（Ｓ１２０５）。撮影された写真画像に人の顔、文字又は数字が写り込んでいないと判定した場合には、Ｓ１２０９に示した処理に移る。
【０１０８】
撮影された写真画像に人の顔、文字又は数字が写り込んでいると判定した場合には、第１加工部１００１は、人の顔、文字及び数字に相当する部分にモザイク処理を施す（Ｓ１２０７）。モザイク処理は、秘匿化処理の一つの例である。例えば塗りつぶし処理や色彩の変換処理のような他の秘匿化処理を行うようにしてもよい。
【０１０９】
尚、Ｓ１２０３における字認識処理を省略する場合には、Ｓ１２０５において、第１判定部２０７は、人の顔が写り込んでいるか否かを判定する。そして、第１加工部１００１は、人の顔に相当する部分にモザイク処理を施す。
【０１１０】
第１送信部２１３は、写真画像、撮影日時及び撮影場所を捜索支援サーバ１０３に送信する（Ｓ１２０９）。Ｓ１２０７においてモザイク処理を施した場合には、第１送信部２１３は、モザイク処理が施された写真画像を送信対象とする。モザイク処理を施していない場合には、第１送信部２１３は、図１１のＳ３１３において撮影された写真画像をそのまま送信対象とする。現在日時と現在位置とについては、図３に示したＳ３１５の場合と同様である。
【０１１１】
そして、第１表示部２１１は、上述したように、撮影処理を終了させるか否かを撮影者に問う表示を行い、第１受付部２０９は、終了指示を受け付けたか否かを判定する（Ｓ１２１１）。
【０１１２】
終了指示を受け付けていないと判定した場合には、端子Ｄを介して図１１に示したＳ３０３に戻って、上述した処理を繰り返す。終了指示を受け付けたと判定した場合には、メイン処理を終了する。
【０１１３】
本実施の形態によれば、プライバシーを侵害する恐れのある写真の流出を防ぐことができる。
【０１１４】
［実施の形態３］
本実施の形態では、撮影装置１０１において写真画像を送信する前に、撮影者が送信対象の写真画像を確認できるようにする例について説明する。
【０１１５】
実施の形態３に係る撮影装置１０１のメイン処理のうち、Ｓ３０１乃至Ｓ３１３の処理については、図１１に示した通りである。
【０１１６】
図１３に、実施の形態３に係る撮影装置１０１のメイン処理フローの例を示す。Ｓ１２０１乃至Ｓ１２０７の処理については、実施の形態２の場合（図１２）と同様である。
【０１１７】
Ｓ１２０５の処理におけるＮＯルートを通って、又はＳ１２０７の処理に続いて、第１表示部２１１は、確認画面を表示する（Ｓ１３０１）。Ｓ１２０５の処理におけるＮＯルートを通る場合には、第１表示部２１１は、図１１のＳ３１３において撮影された写真画像を確認画面に含める。Ｓ１２０７の処理に続く場合には、第１表示部２１１は、モザイク処理が施された写真画像を確認画面に含める。確認画面は、撮影者に送信可否の指示を促すようになっている。確認画面には、例えば、「この写真画像を送信しますか？」と問う文と、送信可（つまり、送信実行）を指示する「ＹＥＳ」ボタンと、送信否（つまり、送信取り止め）を指示する「ＮＯ」ボタンとが配置されている。そして、第１受付部２０９は、「ＹＥＳ」ボタンあるいは「ＮＯ」ボタンのタッチによって、送信可否の指示を受け付ける。
【０１１８】
第１受付部２０９は、送信可の指示を受け付けたか否かを判定する（Ｓ１３０３）。送信可の指示を受け付けなかったと判定した場合、つまり送信否の指示を受け付けた場合には、写真画像、撮影日時及び撮影場所の送信は行われない。従って、端子Ｄを介して図１１に示したＳ３０３に戻って、上述した処理を繰り返す。
【０１１９】
一方、送信可の指示を受け付けたと判定した場合には、第１送信部２１３は、図１２のＳ１２０９の場合と同様に、写真画像、撮影日時及び撮影場所を送信する（Ｓ１３０５）。更に、第１受付部２０９は、図１２のＳ１２１１の場合と同様に、第１受付部２０９は、終了指示を受け付けたか否かを判定する（Ｓ１３０７）。
【０１２０】
終了指示を受け付けていないと判定した場合には、端子Ｄを介して図１１に示したＳ３０３に戻って、上述した処理を繰り返す。終了指示を受け付けたと判定した場合には、メイン処理を終了する。
【０１２１】
本実施の形態によれば、プライバシーを侵害する恐れがある写真を誤って流出させないように確認できる。
【０１２２】
［実施の形態４］
実施の形態１に示した捜索支援サーバ１０３の登録処理では、図５に示したＳ５０７の処理で、受信した写真画像に人の顔、文字又は数字が写り込んでいると判定した場合に、受信した写真画像を破棄する例について説明した。本実施の形態では、受信した写真画像を破棄せずに、受信した写真画像に対して秘匿化処理を施す例について説明する。
【０１２３】
図１４に、実施の形態４に係る捜索支援サーバ１０３のモジュール構成例を示す。捜索支援サーバ１０３は、図４に示したモジュールに加えて、第２加工部１４０１を有する。第２加工部１４０１は、写真画像に含まれる人の顔、文字又は数字に相当する部分にモザイク処理を施す。但し、第２加工部１４０１は、写真画像に含まれる文字又は数字に相当する部分へのモザイク処理を行わないようにしてもよい。
【０１２４】
上述した第２加工部１４０１は、ハードウエア資源（例えば、図１７）と、以下で述べる処理をプロセッサに実行させるプログラムとを用いて実現される。
【０１２５】
図１５に、実施の形態４に係る捜索支援サーバ１０３の登録処理フローの例を示す。Ｓ５０１乃至Ｓ５０７の処理は、実施の形態１の場合（図５）と同様である。
【０１２６】
Ｓ５０７において、Ｓ５０１で受信した写真画像に人の顔、文字又は数字が写り込んでいると判定した場合には、第２加工部１４０１は、人の顔、文字及び数字に相当する部分にモザイク処理を施す（Ｓ１５０１）。モザイク処理は、上述したように秘匿化処理の一つの例である。例えば塗りつぶし処理や色彩の変換処理のような他の秘匿化処理を行うようにしてもよい。一方、Ｓ５０１で受信した写真画像に人の顔、文字又は数字が写り込んでいないと判定した場合には、Ｓ１５０３の処理に移る。
【０１２７】
そして、格納処理部４０５は、撮影日時及び撮影場所に対応付けて写真画像を格納する（Ｓ１５０３）。Ｓ１５０１においてモザイク処理を施した場合には、格納処理部４０５は、モザイク処理が施された写真画像を格納する。モザイク処理を施していない場合には、格納処理部４０５は、Ｓ５０１で受信した写真画像をそのまま格納する。
【０１２８】
本実施の形態によれば、捜索支援サーバ１０３の画像格納部４０７に加えられる写真画像によって顔を識別できないようにできる。
【０１２９】
上述した例では、撮影装置１０１が撮影時間を付するようにしたが、捜索支援サーバ１０３が、撮影時間の代わりに受信日時を用いるようにしてもよい。
【０１３０】
以上のように、被写体となった人物のプライバシーが守られれば、協力者は無用な責任追及を受ける心配がないので、捜索の支援に協力しやすくなるという面もある。
【０１３１】
また、捜索支援サーバ１０３では個人情報を保持しないので、捜索支援サーバ１０３の運用者にとって、個人情報を管理する労力が省かれるという面もある。
【０１３２】
また、写真画像による情報提供を行えば、子供や老人に対する声掛けが要らない。従って、無用なトラブルが生じる恐れが少ないという面もある。
【０１３３】
以上本発明の実施の形態を説明したが、本発明はこれに限定されるものではない。例えば、上述の機能ブロック構成はプログラムモジュール構成に一致しない場合もある。
【０１３４】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【０１３５】
撮影装置１０１は、デジタルカメラであってもよいし、カメラを備えた携帯電話端末１６００であってもよい。ここでは、携帯電話端末１６００のハードウエア構成について説明する。図１６に、携帯電話端末１６００のハードウエア構成例を示す。携帯電話端末１６００は、プロセッサ１６０１、記憶部１６０３、アンテナ１６１１、無線制御部１６１３、オーディオ制御部１６１５、スピーカ１６１７、マイク１６１９、ディスプレイ１６２１、タッチパッド１６２３、カメラ１６２５及びＧＰＳ装置１６２７を有している。
【０１３６】
プロセッサ１６０１は、モデムＣＰＵ（Central Processing Unit）とアプリケーションＣＰＵからなることもある。記憶部１６０３は、例えば、ＲＯＭ（Read Only Memory）１６０５とＲＡＭ（Random Access Memory）１６０７とフラッシュメモリ１６０９を有している。ＲＯＭ１６０５は、例えば、予め設定されているデータやプログラムを格納している。ＲＡＭ１６０７は、揮発性メモリの例である。ＲＡＭ１６０７は、例えば、アプリケーションなどのプログラムやデータを展開する領域を含んでいる。ＲＡＭ１６０７は、スルー画像や撮影した写真画像などの一時的なデータを格納する領域（例えば、第１フレームバッファ２０３及び第２フレームバッファ２０５）も含んでいる。フラッシュメモリ１６０９は、例えば、オペレーティングシステムやアプリケーションなどのプログラムを格納しており、更に随時データを格納する。
【０１３７】
タッチパッド１６２３は、例えば、ディスプレイ１６２１の表示画面上に配置されたパネル状のセンサであり、タッチ操作（例えば、シャッター操作）を受け付ける。ディスプレイ１６２１は、例えば、アプリケーションが表示させる各種画面（例えば、スルー画像を含む画面）を表示する。具体的には、ディスプレイ１６２１とタッチパッド１６２３とを一体としたタッチパネルとして用いられる。タッチパッド１６２３へのタッチ操作によって、タッチイベントが発生する。タッチパッド１６２３の他に、キーを設けるようにしてもよい。
【０１３８】
アンテナ１６１１は、例えば、セルラー方式の無線データを受信する。無線制御部１６１３は、無線通信の制御を行う。無線通信の制御により、電話の音声通信やデータ通信が行われる。
【０１３９】
オーディオ制御部１６１５は、音データに関するアナログ／デジタル変換とデジタル／アナログ変換を行う。スピーカ１６１７は、アナログデータを音として出力する。マイク１６１９は、音をアナログデータに変換する。
【０１４０】
カメラ１６２５は、上述したスルー画像及び写真画像の撮影に用いられる。カメラ１６２５は、静止画を撮影するものであってもよいし、静止画と動画との両方を撮影するものであってもよい。
【０１４１】
なお、上で述べた捜索支援サーバ１０３及びユーザ端末１０５は、コンピュータ装置であって、図１７に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１４２】
以上述べた本発明の実施の形態をまとめると、以下のようになる。
【０１４３】
本実施の形態に係る撮影装置は、撮像対象に人の顔部分が含まれるか否かを判定する判定部と、判定部により人の顔部分が含まれると判定されると、撮影指示の受け付けを拒否する受付部とを有する。
【０１４４】
このようにすれば、プライバシーを侵害する恐れのある撮像画像の撮影を防ぐことができる。
【０１４５】
更に、判定部により人の顔部分が含まれないと判定されると、上記受付部は、撮影指示を受け付け、上記判定部は、撮影指示により撮影された撮像画像に人の顔部分が含まれているか否かを判定するようにしてもよい。上記撮影装置は、撮像画像に人の顔部分が含まれていると判定した場合に、撮像画像のうち人の顔部分を秘匿化する加工を行う加工部を有するようにしてもよい。また、上記撮影装置は、加工された撮像画像を送信する送信部を有するようにしてもよい。
【０１４６】
このようにすれば、プライバシーを侵害する恐れのある撮像画像の流出を防ぐことができる。
【０１４７】
更に、上記撮影装置は、撮影された撮像画像又は加工された撮像画像を表示する表示部を有するようにしてもよい。上記受付部は、表示された撮像画像を送信するか否かの指示を受け付けるようにしてもよい。また、送信する指示を受け付けた場合に、上記送信部は、表示された撮像画像を送信するようにしてもよい。
【０１４８】
このようにすれば、プライバシーを侵害する恐れがある撮像画像を誤って流出させないように確認できる。
【０１４９】
上記判定部は、撮像対象に文字又は数字が含まれるか否かを判定するようにしてもよい。上記受付部は、撮像対象に文字又は数字が含まれると判定した場合に、撮影指示の受け付けを拒否するようにしてもよい。
【０１５０】
このようにすれば、顔以外の個人情報についても、撮像画像に含まれないようにできる。尚、文字は、例えば名前や住所を表す場合がある。数字は、例えば車両番号を表す場合がある。
【０１５１】
本実施の形態に係る情報処理装置は、撮影装置から撮像画像を受信する受信部と、撮像画像に人の顔部分が含まれているか否かを判定する判定部と、撮像画像に人の顔部分が含まれていないと判定した場合に、撮像画像を格納部に格納する格納処理部とを有する。
【０１５２】
このようにすれば、情報処理装置の格納部に、プライバシーを侵害する恐れがある撮像画像を加えないようにできる。
【０１５３】
本実施の形態に係る情報処理装置は、撮影装置から撮像画像を受信する受信部と、撮像画像のうち、人の顔部分を秘匿化する加工を行う加工部と、加工された撮像画像を格納部に格納する格納処理部とを有する。
【０１５４】
このようにすれば、情報処理装置の格納部に加えられる撮像画像から顔を識別できないようにできる。
【０１５５】
上記情報処理装置の上記受信部は、ユーザ端末から、人物に関する特徴データを受信するようにしてもよい。上記情報処理装置は、格納部に格納されている撮像画像のうち、特徴データに合致する者が写り込んでいる撮像画像を検索する検索部を有するようにしてもよい。上記情報処理装置は、検索された撮像画像を、ユーザ端末に送信する送信部を有するようにしてもよい。
【０１５６】
このようにすれば、探している人物が写り込んだ撮像画像をユーザに提供できる。
【０１５７】
上記情報処理装置の上記受信部は、受信する撮像画像とともに、撮像画像の撮影日時及び撮影場所を示すデータを受信するようにしてもよい。上記格納処理部は、撮像画像をデータに対応付けて格納部に格納するようにしてもよい。上記検索部は、撮影日時及び／又は撮影場所に関する条件に基づいて、検索対象となる撮像画像を絞り込むようにしてもよい。
【０１５８】
このようにすれば、例えば広範囲から集め、あるいは長い期間に亘って集めた撮像画像の中から、検索対象の撮像画像を絞るので、検索処理を速めることができる。
【０１５９】
上記情報処理装置の上記送信部は、検索された撮像画像の撮影場所を指すマークを配した地図を、ユーザ端末に送信するようにしてもよい。
【０１６０】
このようにすれば、ユーザは、撮像画像が撮影された場所を把握しやすい。
【０１６１】
上記情報処理装置の上記受信部は、ユーザが選択したマークを特定する識別子を受信するようにしてもよい。上記情報処理装置の上記送信部は、識別子によって特定されるマークが指した撮影場所に対応する撮像画像を、ユーザ端末に送信するようにしてもよい。
【０１６２】
このようにすれば、ユーザは、撮影場所に基づいて、取得したい撮像画像を選択できる。
【０１６３】
本実施の形態に係る端末装置は、捜索対象者の特徴データに含まれる撮像画像に人の顔部分が含まれているか否かを判定する判定部と、撮像画像に人の顔部分が含まれていると判定した場合に、撮像画像を除く特徴データを、捜索支援装置に送信し、撮像画像に人の顔部分が含まれていないと判定した場合に、撮像画像を含む特徴データを、捜索支援装置に送信する送信部とを有する。
【０１６４】
このようにすれば、捜索支援装置に送られる特徴データのうち、捜索対象者の顔に関して秘匿を図れる。
【０１６５】
本実施の形態に係る捜索支援システムは、撮影装置と、捜索支援装置と、ユーザ端末とを含む。上記撮影装置は、（Ａ）撮像対象に人の顔部分が含まれるか否かを判定する第１判定部と、（Ｂ）上記第１判定部により撮像対象に人の顔部分が含まれないと判定されると、撮像対象を撮影する撮影部と、（Ｃ）上記撮影部で撮影された撮像画像を上記捜索支援装置に送信する第１送信部とを有する。上記捜索支援装置は、（Ｄ）上記撮影装置から受信した撮像画像を、格納部に格納する格納処理部を有する。上記ユーザ端末は、（Ｅ）捜索対象者の特徴データに含まれる撮像画像に人の顔部分が含まれているか否かを判定する第２判定部と、（Ｆ）特徴データに含まれる撮像画像に人の顔部分が含まれていると判定した場合に、撮像画像を除く特徴データを、上記捜索支援装置に送信し、特徴データに含まれる撮像画像に人の顔部分が含まれていないと判定した場合に、撮像画像を含む特徴データを、上記捜索支援装置に送信する第２送信部とを有する。そして、上記捜索支援装置は、更に、（Ｇ）受信した特徴データに基づいて、上記格納部に格納されている撮像画像を検索する検索部と、（Ｈ）検索された撮像画像を、ユーザ端末に送信する第３送信部とを有する。
【０１６６】
このようにすれば、捜索支援装置において、プライバシーを侵害する恐れのある撮像画像を蓄積しなくて済む。
【０１６７】
なお、上で述べた撮影装置の処理をプロセッサに行わせるためのプログラムを作成することができる。また、上で述べた情報処理装置、端末装置、捜索支援装置及びユーザ端末の処理をコンピュータに行わせるためのプログラムを作成することができる。そして、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１６８】
以上の実施例を含む実施形態に関し、さらに以下の付記を開示する。
【０１６９】
（付記１）
撮像対象に人の顔部分が含まれるか否かを判定する判定部と、
前記判定部により人の顔部分が含まれると判定されると、撮影指示の受け付けを拒否する受付部と
を有する撮影装置。
【０１７０】
（付記２）
前記判定部により人の顔部分が含まれないと判定されると、前記受付部は、前記撮影指示を受け付け、
前記判定部は、前記撮影指示により撮影された撮像画像に人の顔部分が含まれているか否かを判定し、
更に、
前記撮像画像に人の顔部分が含まれていると判定した場合に、前記撮像画像のうち前記人の顔部分を秘匿化する加工を行う加工部と、
加工された撮像画像を送信する送信部と
を有する付記１記載の撮影装置。
【０１７１】
（付記３）
更に、
前記撮影された撮像画像又は前記加工された撮像画像を表示する表示部を有し、
前記受付部は、表示された前記撮像画像を送信するか否かの指示を受け付け、
送信する指示を受け付けた場合に、前記送信部は、表示された前記撮像画像を送信する
付記２記載の撮影装置。
【０１７２】
（付記４）
前記判定部は、前記撮像対象に文字又は数字が含まれるか否かを判定し、
前記受付部は、前記撮像対象に文字又は数字が含まれると判定した場合に、前記撮影指示の受け付けを拒否する
付記１乃至３のいずれか１つ記載の撮影装置。
【０１７３】
（付記５）
撮影装置から撮像画像を受信する受信部と、
前記撮像画像に人の顔部分が含まれているか否かを判定する判定部と、
前記撮像画像に人の顔部分が含まれていないと判定した場合に、前記撮像画像を格納部に格納する格納処理部と
を有する情報処理装置。
【０１７４】
（付記６）
撮影装置から撮像画像を受信する受信部と、
前記撮像画像のうち、人の顔部分を秘匿化する加工を行う加工部と、
加工された撮像画像を格納部に格納する格納処理部と
を有する情報処理装置。
【０１７５】
（付記７）
前記受信部は、ユーザ端末から、人物に関する特徴データを受信し、
更に、
前記格納部に格納されている前記撮像画像のうち、前記特徴データに合致する者が写り込んでいる撮像画像を検索する検索部と、
検索された前記撮像画像を、前記ユーザ端末に送信する送信部と
を有する付記５又は６記載の情報処理装置。
【０１７６】
（付記８）
前記受信部は、受信する前記撮像画像とともに、前記撮像画像の撮影日時及び撮影場所を示すデータを受信し、
前記格納処理部は、前記撮像画像を前記データに対応付けて前記格納部に格納し、
前記検索部は、前記撮影日時及び／又は前記撮影場所に関する条件に基づいて、検索対象となる撮像画像を絞り込む
付記７記載の情報処理装置。
【０１７７】
（付記９）
前記送信部は、検索された前記撮像画像の前記撮影場所を指すマークを配した地図を、前記ユーザ端末に送信する
付記８記載の情報処理装置。
【０１７８】
（付記１０）
前記受信部は、前記ユーザが選択した前記マークを特定する識別子を受信し、
前記送信部は、前記識別子によって特定される前記マークが指した前記撮影場所に対応する前記撮像画像を、前記ユーザ端末に送信する
付記９記載の情報処理装置。
【０１７９】
（付記１１）
捜索対象者の特徴データに含まれる撮像画像に人の顔部分が含まれているか否かを判定する判定部と、
前記撮像画像に人の顔部分が含まれていると判定した場合に、前記撮像画像を除く前記特徴データを、捜索支援装置に送信し、前記撮像画像に人の顔部分が含まれていないと判定した場合に、前記撮像画像を含む前記特徴データを、前記捜索支援装置に送信する送信部と
を有する端末装置。
【０１８０】
（付記１２）
撮影装置と、捜索支援装置と、ユーザ端末とを含む捜索支援システムであって、
前記撮影装置は、
撮像対象に人の顔部分が含まれるか否かを判定する第１判定部と、
前記第１判定部により前記撮像対象に人の顔部分が含まれないと判定されると、前記撮像対象を撮影する撮影部と、
前記撮影部で撮影された撮像画像を前記捜索支援装置に送信する第１送信部と
を有し、
前記捜索支援装置は、
前記撮影装置から受信した前記撮像画像を、格納部に格納する格納処理部
を有し、
前記ユーザ端末は、
捜索対象者の特徴データに含まれる撮像画像に人の顔部分が含まれているか否かを判定する第２判定部と、
前記特徴データに含まれる前記撮像画像に人の顔部分が含まれていると判定した場合に、前記撮像画像を除く前記特徴データを、前記捜索支援装置に送信し、前記特徴データに含まれる前記撮像画像に人の顔部分が含まれていないと判定した場合に、前記撮像画像を含む前記特徴データを、前記捜索支援装置に送信する第２送信部と
を有し、
前記捜索支援装置は、更に、
受信した前記特徴データに基づいて、前記格納部に格納されている前記撮像画像を検索する検索部と、
検索された撮像画像を、前記ユーザ端末に送信する第３送信部と
を有する捜索支援システム。
【０１８１】
（付記１３）
撮像対象に人の顔部分が含まれるか否かを判定し、
前記撮像対象に人の顔部分が含まれると判定されると、撮影指示の受け付けを拒否する
処理を含み、プロセッサによって実行される撮影制御方法。
【０１８２】
（付記１４）
撮像対象に人の顔部分が含まれるか否かを判定し、
前記撮像対象に人の顔部分が含まれると判定されると、撮影指示の受け付けを拒否する
処理をプロセッサに実行させる撮影制御プログラム。
【０１８３】
（付記１５）
撮影装置から撮像画像を受信し、
前記撮像画像に人の顔部分が含まれているか否かを判定し、
前記撮像画像に人の顔部分が含まれていないと判定した場合に、前記撮像画像を格納部に格納する
処理を含み、コンピュータによって実行される情報処理方法。
【０１８４】
（付記１６）
撮影装置から撮像画像を受信し、
前記撮像画像に人の顔部分が含まれているか否かを判定し、
前記撮像画像に人の顔部分が含まれていないと判定した場合に、前記撮像画像を格納部に格納する
処理をコンピュータに実行させるプログラム。
【０１８５】
（付記１７）
撮影装置から撮像画像を受信し、
前記撮像画像のうち、人の顔部分を秘匿化する加工を行い、
加工された撮像画像を格納部に格納する
処理を含み、コンピュータによって実行される情報処理方法。
【０１８６】
（付記１８）
撮影装置から撮像画像を受信し、
前記撮像画像のうち、人の顔部分を秘匿化する加工を行い、
加工された撮像画像を格納部に格納する
処理をコンピュータに実行させるプログラム。
【０１８７】
（付記１９）
捜索対象者の特徴データに含まれる撮像画像に人の顔部分が含まれているか否かを判定し、
前記撮像画像に人の顔部分が含まれていると判定した場合に、前記撮像画像を除く前記特徴データを、捜索支援装置に送信し、
前記撮像画像に人の顔部分が含まれていないと判定した場合に、前記撮像画像を含む前記特徴データを、前記捜索支援装置に送信する
処理を含み、コンピュータによって実行される情報処理方法。
【０１８８】
（付記２０）
捜索対象者の特徴データに含まれる撮像画像に人の顔部分が含まれているか否かを判定し、
前記撮像画像に人の顔部分が含まれていると判定した場合に、前記撮像画像を除く前記特徴データを、捜索支援装置に送信し、
前記撮像画像に人の顔部分が含まれていないと判定した場合に、前記撮像画像を含む前記特徴データを、前記捜索支援装置に送信する
処理をコンピュータに実行させるプログラム。
【符号の説明】
【０１８９】
１０１  撮影装置    １０３  捜索支援サーバ
１０５  ユーザ端末    ２０１  撮影部
２０３  第１フレームバッファ    ２０５  第２フレームバッファ
２０７  第１判定部    ２０９  第１受付部
２１１  第１表示部    ２１３  第１送信部
４０１  第１受信部    ４０３  第２判定部
４０５  格納処理部    ４０７  画像格納部
４０９  認証部    ４１１  検索部
４１３  第２送信部    ６０１  第３送信部
６０３  第２受付部    ６０５  第３判定部
６０７  第２受信部    ６０９  第２表示部
６１１  特徴記憶部    １００１  第１加工部
１４０１  第２加工部    １６００  携帯電話端末
１６０１  プロセッサ    １６０３  記憶部
１６０５  ＲＯＭ    １６０７  ＲＡＭ
１６０９  フラッシュメモリ    １６１１  アンテナ
１６１３  無線制御部    １６１５  オーディオ制御部
１６１７  スピーカ    １６１９  マイク
１６２１  ディスプレイ    １６２３  タッチパッド
１６２５  カメラ    １６２７  ＧＰＳ装置
【図１】
2016143152.tif 000003
【図２】
2016143152.tif 000004
【図３】
2016143152.tif 000005
【図４】
2016143152.tif 000006
【図５】
2016143152.tif 000007
【図６】
2016143152.tif 000008
【図７】
2016143152.tif 000009
【図８】
2016143152.tif 000010
【図９】
2016143152.tif 000011
【図１０】
2016143152.tif 000012
【図１１】
2016143152.tif 000013
【図１２】
2016143152.tif 000014
【図１３】
2016143152.tif 000015
【図１４】
2016143152.tif 000016
【図１５】
2016143152.tif 000017
【図１６】
2016143152.tif 000018
【図１７】
2016143152.tif 000019